(57)【要約】【課題】扉などの吊り込み施工の簡易性及び安全性を向上し得る蝶番を提供する。【解決手段】一対の羽根部２ａ，２ｂの夫々に設けられた筒状部３ａ，３ｂを軸方向に連ね、これら筒状部に円柱状の軸体４を挿通させて回動自在に連結される蝶番１であって、前記軸体には、その側面に係止突起４０が設けられ、上側に連ねられる前記筒状部には、前記軸体が持ち上げられたときに前記係止突起の上端部４０ａと接触して、前記軸体を一方向に回転移動させる上側規制部材５と、前記係止突起の下端部４０ｂと接触して、前記軸体を上下の異なる位置で保持する下側規制部材６とが内装され、前記軸体を前記筒状部３ａの一方から出没させるように構成されていることを特徴とする。【選択図】図１
2011149262.tif 000002
【特許請求の範囲】
【請求項１】
一対の羽根部の夫々に設けられた筒状部を軸方向に連ね、これら筒状部に円柱状の軸体を挿通させて回動自在に連結される蝶番であって、
前記軸体には、その側面に係止突起が設けられ、
上側に連ねられる前記筒状部には、前記軸体が持ち上げられたときに前記係止突起の上端部と接触して、前記軸体を一方向に回転移動させる上側規制部材と、前記係止突起の下端部と接触して、前記軸体を上下の異なる位置で保持する下側規制部材とが内装され、
前記軸体を前記筒状部の一方から出没させるように構成されていることを特徴とする蝶番。
【請求項２】
請求項１において、
前記下側規制部材は、前記軸体が上位置で保持された状態において、前記軸体の下端部が前記筒状部の下方から僅かに突出するように、且つ前記上側規制部材は、上位置で保持された前記軸体が更に持ち上げられたときに、前記係止突起の上端部と接触するように、夫々の位置関係が設定されていることを特徴とする蝶番。
【請求項３】
請求項１または請求項２において、
前記軸体の下端部には、漸次先細形状の先細部が形成されていることを特徴とする蝶番。
【請求項４】
請求項１〜請求項３のいずれか１項において、
前記軸体は、前記筒状部から突出する方向に付勢される付勢手段を備えており、この付勢力によって、前記係止突起の前記下端部が前記下側規制部材と接触することを特徴とする蝶番。
【発明の詳細な説明】
【技術分野】
【０００１】
本発明は、扉などを開閉自在に支持する蝶番に関する。
【背景技術】
【０００２】
従来より、開き扉、開き窓などの建具を開閉自在に支持する部品として様々な構造の蝶番が知られている。
例えば下記特許文献１には、ドア枠に取着されるドア枠取付半体と、ドアに取着されるドア取付半体とを備え、これらの端部に設けられた連結筒内に挿通される軸体（連結軸）によって相互に軸着することでドアを水平回動自在としたものが開示されている。
【先行技術文献】
【特許文献】
【０００３】
【特許文献１】特開平８−６８２５５号公報
【発明の概要】
【発明が解決しようとする課題】
【０００４】
しかしながら、上記特許文献１に記載されているような蝶番は、扉の吊り込みを行なう際に軸体の上げ下げを手動でしなければならない。また扉の上側に取り付けた蝶番の連結筒同士を嵌め合わせるときには、扉を持ち上げた状態で嵌め合わせ、その後に上方に上げておいた軸体を下げる必要がある。すなわち、扉を持ち上げながら、連結筒の嵌め合わせの微調整を行う必要があり、例えば重たい扉などの場合は一人で扉の吊り込み施工を行なうのは容易ではない。さらにこのとき、扉を上へ持ち上げすぎると下側で嵌め合わせた蝶番が外れてしまうため、下側の蝶番が外れない程度に持ち上げなければならないという問題もある。
【０００５】
本発明は、上記実情に鑑みなされたものであり、扉などの吊り込み施工の簡易性及び安全性を向上し得る蝶番を提供することを目的とする。
【課題を解決するための手段】
【０００６】
本発明は、一対の羽根部の夫々に設けられた筒状部を軸方向に連ね、これら筒状部に円柱状の軸体を挿通させて回動自在に連結される蝶番であって、前記軸体には、その側面に係止突起が設けられ、上側に連ねられる前記筒状部には、前記軸体が持ち上げられたときに前記係止突起の上端部と接触して、前記軸体を一方向に回転移動させる上側規制部材と、前記係止突起の下端部と接触して、前記軸体を上下の異なる位置で保持する下側規制部材とが内装され、前記軸体を前記筒状部の一方から出没させるように構成されていることを特徴とする。
【０００７】
本発明において、前記下側規制部材は、前記軸体が上位置で保持された状態において、前記軸体の下端部が前記筒状部の下方から僅かに突出するように、且つ前記上側規制部材は、上位置で保持された前記軸体が更に持ち上げられたときに、前記係止突起の前記上端部と接触するように、夫々の位置関係が設定されているものしてもよい。
また本発明において、軸体の下端部には、漸次先細形状の先細部が形成されているものとしてもよい。
さらに本発明において、前記軸体は、前記筒状部から突出する方向に付勢される付勢手段を備えており、この付勢力によって、前記係止突起の前記下端部が前記下側規制部材と接触するようにしてもよい。
【発明の効果】
【０００８】
本発明に係る蝶番によれば、扉などの吊り込み施工の簡易性及び安全性を向上させることができる。
【図面の簡単な説明】
【０００９】
【図１】（ａ）〜（ｄ）は本発明の一実施形態に係る蝶番の概略的斜視図であり、蝶番の嵌め合わせ過程を説明するための図である。
【図２】同蝶番によって扉を吊り込む一過程を示す概略斜視図である。
【図３】（ａ）〜（ｃ）は同蝶番において扉側に取り付けられる扉側蝶番の分解斜視図である。
【図４】同扉側蝶番の軸体の動きを説明するための上側規制部材及び下側規制部材を模式的に示した展開図である。
【図５】（ａ）〜（ｃ）は同扉側蝶番における軸体の動きを説明するための図である。
【図６】（ａ）及び（ｂ）は同扉側蝶番における軸体の動きを説明するための図である。
【発明を実施するための形態】
【００１０】
以下に本発明における実施の形態の一例について、図１〜図６に基づいて説明する。
本実施形態における蝶番１は、リビングなどの居室空間に設置される室内用の扉７を開閉自在に支持するために用いられた例を示している。
蝶番１は、一対の羽根部２ａ，２ｂの夫々に設けられた筒状部３ａ，３ｂを軸方向に連ね、これら筒状部３ａ，３ｂに円柱状の軸体４を挿通させて回動自在に連結される蝶番１であって、軸体４には、その側面に係止突起４０が設けられ、上側に連ねられる筒状部３ａには、軸体４が持ち上げられたときに係止突起４０の上端部４０ａと接触して、軸体４を一方向に回転移動させる上側規制部材５と、係止突起４０の下端部４０ｂと接触して、軸体４を上下の異なる位置で保持する下側規制部材６とが内装され、軸体４を筒状部３ａの一方から出没させるように構成されている。
【００１１】
図２に示すように居室空間を仕切る仕切壁９に設けられた開口部９０には、天井側に配設される上枠８０と、上枠８０の左右に配設される一対の縦枠８１，８１とを備えた戸枠８が組み付けられている。
図例の戸枠８は、床側に配設される下枠を備えていない例を示しているが、これに限定されず、下枠を備えたものであってもよい。
一対の縦枠８１のいずれか一方の縦枠８１には上下に離間させて蝶番１が複数設けられており、図に示すように蝶番１は、扉７側に設けられる扉側蝶番１ａと、戸枠８に設けられる戸枠側蝶番１ｂとで構成されている。
【００１２】
以下、図１（ａ）〜（ｄ）に示すように扉側蝶番１ａと戸枠側蝶番１ｂとは、扉側蝶番１ａの筒状部３ａが、戸枠側蝶番１ｂの筒状部３ｂの上側になるように設けられ、この上側に設けられる扉側蝶番１ａの筒状部３ａに上下動自在とされた軸体４が内装された構成に基づいて説明する。
扉側蝶番１ａと戸枠側蝶番１ｂとは、方形平板状の羽根部２ａ，２ｂと、有底の中空円筒体からなる筒状部３ａ，３ｂとを備え、羽根部２ａ，２ｂと筒状部３ａ，３ｂとは一体的に構成されており、一体形成されたものであってもよいし、それぞれ別体に形成し嵌め合わせて一体にしたものであってもよい。
扉側蝶番１ａの羽根部２ａには、挿通孔２０ａが複数形成されており、この挿通孔２０ａに固定具（不図示）を挿通させて羽根部２ａを扉７の端面に強固に固着する。また戸枠側蝶番１ｂの羽根部２ｂにも、挿通孔２０ｂが複数形成されており、この挿通孔２０ｂに固定具（不図示）を挿通させて羽根部２ｂを縦枠８１に強固に固着する。
ここで、これら挿通孔２０ａ，２０ｂの数や配列などは図例に限定されるものではなく、扉側蝶番１ａの羽根部２ａ及び戸枠側蝶番１ｂの羽根部２ｂが安定して扉７の端面或いは縦枠８１に固着されるように構成されていればよい。
【００１３】
図３（ａ）〜（ｃ）を参照しながら、扉側蝶番１ａについて説明する。
扉側蝶番１ａは、上述したように羽根部２ａと筒状部３ａとを備え、筒状部３ａは有底面３０ａが上方になるように設けられ、筒状部３ａ内には、上側規制部材５及び下側規制部材６が設けられている。
この上側規制部材５と下側規制部材６とは、筒状部３ａの内壁に沿って内装されるように筒状に形成されており、軸体４の長さ及び軸体４の下方へ突出量に応じて離間させて設けられている。
すなわち、下側規制部材６は、軸体４が上位置で保持された状態において、軸体４の下端部４ｂが筒状部３ａの下方から僅かに突出するように、且つ上側規制部材５は、上位置で保持された軸体４が更に持ち上げられたときに、係止突起４０の上端部４０ａと接触するように、夫々の位置関係が設定されて筒状体３ａに内装されることが望ましい。
また上側規制部材５は、軸体４を上方に持ち上げたときに筒状部３ａの有底面３０ａに軸体４の上端部４ａが当接しないように筒状部３ａの有底面３０ａと軸体４の上端部４ａとの間に隙間を設定し筒状部３内に内装されているものが望ましい。この場合は、軸体４を最も上方に持ち上げた場合でも、筒状部３ａの有底面３０ａと軸体４の上端部４ａとが接触することがなく、接触音の発生や破損等を軽減することができる。
【００１４】
軸体４は、円柱状からなり、好ましくはその下端部４ｂには、漸次先細形状の先細部４１が形成されたものとしてもよい。このように下端部４ｂを先細部４１とすることにより、例えば軸体４の下端部４ｂに戸枠側蝶番１ｂの筒状部３ｂ端部が軸体４の側面側から横方向にスライドさせたときに（図６（ａ）参照）、先細部４１が筒状部３ｂの端部にスムーズに当接するので、作用を受けやすいものとすることができる。
係止突起４０の上端部４０ａは、斜め上向きに傾斜して形成され、係止突起４０の下端部４０ｂは、斜め下向きに傾斜して形成されており、係止突起４０は台形状の係止突起４０の上辺と下辺とに相当する部分が軸体４の軸芯方向に平行になるように設けられているものが望ましい。
図では台形状の係止突起４０の上辺に相当する部分を上辺部４０ｃ、下辺に相当する部分を下辺部４０ｄとして図示している。
【００１５】
ここで、軸体４はその自重によって下方へ移動するものに限定されず、筒状部３ａから突出する方向に付勢される付勢手段１０（図３参照）を備え、この付勢力によって、係止突起４０の下端部４０ｂが下側規制部材６と接触するようにしてもよい。付勢手段１０としては、特に限定されるものではなく、軸体４を筒状部３ａから突出する方向に付勢するものであればよいが、例えば押圧力を加えると縮み、押圧力を解除すると復元力が働いて元に戻るばね材やスポンジ材などの弾性体を採用することができる。
これによれば、蝶番１の設置方向が例えば横向きや図例とは逆さ向き（軸体４が下から上へ突出するパターン）であっても、軸体４を筒状部３ａから出没させることができる。また付勢手段１０を備えた場合は、軸体４を上方に持ち上げたときに付勢手段１０の突出方向に働く反力を感じ、クリック感のよいものとすることができる。
【００１６】
上側規制部材５は、軸体４の係止突起４０の上端部４０ａが接触して、軸体４を一方向に回転移動させるため、凹凸が周方向に連続した回転誘導機構５０を備えている。
回転誘導機構５０の構成は図例に限定されるものではないが、軸体４が上方に持ち上げられたときに、係止突起４０の上端部４０ａが接触した状態でスライドするように斜め上方に切り込まれて形成された傾斜ガイド部５０ａと、傾斜ガイド部５０ａに誘導されて所定位置まで回転移動してきた軸体４の移動を停止させ軸体４を自重または付勢手段１０による付勢力で下方へ移動するように誘導するストッパー部５０ｂとを備えているものとしてもよい。
【００１７】
下側規制部材６は、軸体４の係止突起４０の下端部４０ｂが接触して軸体４を一方向に回転移動させるとともに、軸体４を上下異なる位置で係止して保持する係止誘導機構６０を備えている。
係止誘導機構６０の構成は図例に限定されるものでないが、ストッパー部５０ｂの位置まで回転移動し、自重または付勢手段１０による付勢力によって下方へ移動してきた軸体４を第１係止溝６０ｂに誘導するように斜め下方に切込み形成された第１傾斜ガイド部６０ａと、第１傾斜ガイド部６０ａによって誘導され移動した軸体４の係止突起４０の下端部４０ｂを係止する第１係止溝６０ｂと、上方に持ち上げられた軸体４を第２係止溝６０ｄに誘導するように斜め下方に切り込まれた第２傾斜ガイド部６０ｃと、第２傾斜ガイド部６０ｃによって誘導され移動した軸体４の係止突起４０の下端部４０ｂを係止する第２係止溝６０ｄとを備えているものとしてもよい。
図例のものは、軸体４の下端部４ｂが筒状部３の下方から略半分弱程度突出（図１（ｂ）及び図５（ｃ）参照）するように係止する溝を第１係止溝６０ｂとして設定し、軸体４の下端部４ｂが筒状部３の下方から最も突出するように係止する溝を第２係止溝６０ｄとして設定した場合を示している。この場合は、第１係止溝６０ｂより、第２係止溝６０ｄを深く切込み形成している。
【００１８】
図３及び図４を参照しながら、さらに詳しく蝶番１に設けられた軸体４の出没構造の一例について説明する。図４は、扉側蝶番１ａの軸体４の動きを説明するための上側規制部材５及び下側規制部材６を模式的に展開図で示している。
係止突起４０の上端部４０ａが接触する傾斜ガイド部５０ａは、その斜め上方への傾斜角度が、係止突起４０の上端部４０ａの形状と対応するように形成されている。そのため、係止突起４０（軸体４）が上へ持ち上がると、上端部４０ａがその傾斜ガイド部５０ａに沿って接触した状態でスライドするようにすることができる。またこのように傾斜ガイド部５０ａと上端部４０ａの傾斜角度が略同一に形成されているので、軸体４が逆回転しないように規制することができる。
一方、係止突起４０の下端部４０ｂが接触する第１傾斜ガイド部６０ａは、円弧状に湾曲しながら第１係止溝６０ｂに向かって下方へ傾斜して形成されている。また係止突起４０の下端部４０ｂが接触する第２傾斜ガイド部６０ｃは、その斜め下方への傾斜角度が、係止突起４０の下端部４０ｂの形状と対応するように形成されている。そのため、係止突起４０（軸体４）が自重または付勢手段１０による付勢力で下方へ動くと、下端部４０ｂが第１傾斜ガイド部６０ａ或いは第２の傾斜ガイド６０ｃに沿って接触した状態でスライドするようにすることができる。
なお、第１傾斜ガイド部６０ａの形状は湾曲形状ではなく、単に傾斜形状としてもよい。ここでは短い距離でスムーズに第１係止溝６０ｂに係止突起４０を移動させるため、湾曲形状としている。
【００１９】
ストッパー部５０ｂは、傾斜ガイド部５０ａに沿って回転移動してきた軸体４を一旦停止させ、軸体４の自重または付勢手段１０による付勢力によって下方に移動したときに下側規制部材６に形成された第１係止溝６０ｂまたは第２係止溝６０ｄに係止突起４０が係止させるよう案内できる位置を設定して形成される。そしてストッパー部５０ｂは軸体４の軸芯方向に平行に形成された係止突起４０の下辺部４０ｄと平行に形成されている。これにより、ストッパー部５０ｂに係止突起４０の下辺部４０ｄが沿って下方へと案内される。
図３及び図４には、ストッパー部５０ｂと係止案内部６０の形成位置の関係がわかるようにストッパー部５０ｂの形成位置の延長線を２点鎖線６１で示している。
このように２点鎖線６１は、第１係止溝６０ｂの近傍、及び第２係止溝６０ｄの中央位置に設定され、これにより、軸体４は係止される係止溝６０ｂ，６０ｄによってその突出量を変えて筒状部３から出没自在とすることができる。
【００２０】
続いて図１、図４〜図６を参照しながら、蝶番１に設けられた軸体４の出没動作を扉７の吊り込み施工の手順とともに説明する。なお、以下の説明は、扉７の吊り込み手順の一例であって、これに限定するものではない。
蝶番１は、戸枠８の上下に離間して２つ設けられ、扉側蝶番１ａを扉７に、戸枠側蝶番１ｂを戸枠８にそれぞれ取り付けておく（図２参照）。
図１（ａ）及び図５（ａ）は軸体４が筒状部３ａが最も突出した状態を示しており、このとき係止突起４０は深く切り込まれた第２係止溝６０ｄに係止されている（図４の実線で示した係止突起４０参照）。
【００２１】
この状態から、まず扉７の上側に取り付けられた扉側蝶番１ａの軸体４を手指などで押し上げる。
図５（ｂ）に示すようにこのように軸体４を押し上げていくと、係止突起４０の上端部４０ａが上側規制部材５の傾斜ガイド部５０ａに接触するところまで上方へ持ち上げることができる。このとき、軸体４に対して上方へ力をかけていれば、傾斜ガイド部５０ａに係止突起４０が接触し、この状態で傾斜ガイド部５０ａに沿ってストッパー部５０ｂへと移動する。
なお、ここで、扉７の下側に取り付けられた扉側蝶番１ａの軸体４も同様に押し上げておいてもよいが、下側の扉側蝶番１ａと戸枠側蝶番１ｂとを嵌め合わせるのはさほど難しい作業ではないので、軸体４を最も突出させた状態のままでもよい。ここでは、上側の扉側蝶番１ａの軸体４のみ押し上げ、下側の扉側蝶番１ａの軸体４は最も突出させた状態のまま作業する例について説明する。
【００２２】
施工者は上方へ持ち上げた軸体４の回転移動が止まった時点で軸体４から手を離してもよい。すると自動的に軸体４の自重または付勢手段１０による付勢力で軸体４が下方へ移動し、直下にある下側規制部材６の第１傾斜ガイド部６０ａに沿って第１係止溝６０ｂへと誘導される。この状態を図１（ｂ）及び図５（ｃ）に示している。
このように上側に取り付けられた扉側蝶番１ａの軸体４を略半分弱程度、突出させた半係止状態としたら、扉７を持ち上げてまずは戸枠８の下側に取り付けられた戸枠側蝶番１ｂに扉７の下側に取り付けられた扉側蝶番１ａを嵌め込む。
【００２３】
そしてそのまま扉７を上側に取り付けられた戸枠側蝶番１ｂとの嵌め込み位置へ動かす。
すると、戸枠側蝶番１ｂの筒状部３ｂの端部が半係止状態の軸体４の側面側から当たり、先細部４１が作用して軸体４が上方へ押し上げられ、第１係止溝６０ｂでの係止が解除される。ここで軸体４の先側が漸次先細形状の先細部４１とされているので、円筒体の軸体４がどの回転位置にあっても、常に先細部４１の位置が変わらず、筒状部３ｂの端部に当接し、軸体４をスムーズに押し上げるように作用させることができる。
この状態を図１（ｃ）及び図６（ａ）に示している。
このように再び持ち上げられた軸体４の係止突起４０の上端部４０ａは、上側規制部材５の傾斜ガイド部５０ａに沿ってストッパー部５０ｂまで移動し、その後、軸体４の自重または付勢手段１０による付勢力によって軸体４は下方へ移動し、下側規制部材６の第２傾斜ガイド部６０ｃに沿って第２係止溝６０ｄへと誘導される。
第２係止溝６０ｄに係止された状態の軸体４は、戸枠側蝶番１ｂの筒状部３ｂに挿通され、筒状部３ａ，３ｂが軸方向に連ねられた状態になるとともに、扉７の吊り込みが完了する。この状態を図１（ｄ）及び図６（ｂ）に示している。
【００２４】
この構成によれば、扉７を吊り込む際に扉側蝶番１ａの軸体４を半係止状態としておき、扉７を上側に取り付けられた戸枠側蝶番１ｂの嵌め合わせ位置へ傾けるように動せば、軸体４が自動的に下方へ動き、扉側蝶番１ａと戸枠側蝶番１ｂとに軸体４を連通させることができる。すなわち、軸体４の上げ下げを手動でする必要がないので、扉７を両手で掴んだ状態のままで、扉７の吊り込みを行なうことができ、例えば重たい扉７であってもまた一人であっても扉７の吊り込みを簡易に且つ安全に行なうことができる。
【００２５】
なお、本実施形態における蝶番１は、図例の室内用の扉７だけに限らず、家具の前面開口に取り付けられる扉や開き窓などに用いられる蝶番１とすることもでき、蝶番１の形状、大きさ、構造などは図例に限定されるものではない。
また上述したように付勢手段１０を備えたものとした場合は、蝶番１の設置方向も図例のパターンに限定されず、例えば筒状部３ａから横方向に出没自在として設けることもできる。
さらに係止誘導機構６０の構成も図例のように第１傾斜ガイド部６０ａ、第１係止溝６０ｂ、第２傾斜ガイド部６０ｃ、第２係止溝６０ｄが４組構成された例に限定されず、１組、２組などその他の数でもよい。
【符号の説明】
【００２６】
１      蝶番
１ａ      扉側蝶番
１ｂ      戸枠側蝶番
２ａ，２ｂ      羽根部
３ａ，３ｂ      筒状部
４      軸体
４０      係止突起
４０ａ      上端部
４０ｂ      下端部
５      上側規制部材
６      下側規制部材
【図１】
2011149262.tif 000003
【図２】
2011149262.tif 000004
【図３】
2011149262.tif 000005
【図４】
2011149262.tif 000006
【図５】
2011149262.tif 000007
【図６】
2011149262.tif 000008